(57)【要約】【課題】製造工程に掛かるコストが上がることがないように、軟質性で撓み可能なカードのベースシートに磁気表示データ層を設けた際にカードが反らないようにし、かつ磁気表示部における磁性粒子が磁気表示データ層により鮮明で確かな表示となるように配列する磁気表示部を有するカードを得る。【解決手段】厚さが２５〜１００μｍのベースシートの一方の面の全面上に、厚さが５〜２５μｍの範囲内の磁気表示データ層を設ける。該磁気表示層上に貫通孔を有した中間シートを配し、前記貫通孔に移動可能に少なくとも磁性粒子を挿入し、磁気表示部とする。中間シート上に少なくとも前記貫通孔に対向した部分を透明とした表示部を設けた表面シートを配して、前記ベースシートと中間シートと表面シートを一体に固着する。 【選択図】図２
2005100150.tif 000002
【特許請求の範囲】
【請求項１】
磁気表示部を有したカードであって、厚さが２５〜１００μｍの軟質性のベースシートの一方の面の全面に、磁気表示部の磁性粒子を磁気作用により配列させるための磁気表示データ層を厚さが５〜２５μｍの範囲内で設け、該磁気表示データ層側に貫通孔を有した中間シートを配し、前記貫通孔に移動可能に少なくとも磁性粒子を挿入し、中間シート上に少なくとも前記貫通孔に対向した部分を透明とした表示部を設けた表面シートを配して、前記ベースシートと中間シートと表面シートを一体に固着し、前記磁性粒子を貫通孔に封入した磁気表示部を形成し、磁気層として磁気表示データ層のみを有したことを特徴とする、磁気表示部を有したカード。
【請求項２】
前記磁気表示データ層上に、保護層を設けてなる、請求項１に記載の磁気表示部を有したカード。
【請求項３】
前記カードが、情報を記憶するためのＩＣチップを有したＩＣカード又は非接触ＩＣカードである、請求項１又は２に記載の磁気表示部を有したカード。
【発明の詳細な説明】
【技術分野】
【０００１】
本発明は、情報を目視可能に表示し及び表示を書き換え可能な磁気表示部を有したカードに関する。
【背景技術】
【０００２】
従来、磁気層を有したカードとして、情報を磁気情報として記録・再生・消去できる磁気記録層を有したキャッシュカードやプリペイドカード等の磁気カードが知られている。また、磁気記録情報を目視確認できるように文字化若しくは数字化等したものを可視画像として表示し、かつ表示の書き換えが可能な可視磁気カードが提案され提供されている。本願出願人においても、磁気表示データ層と光反射性ベースシートからなる磁気記録シートと少なくとも表示部が透明な表面シートとを対向してこの二枚のシート間に表示セルを形成し、この表示セルに磁性粒子と透明ないし白色の微粉末流動化剤との混合物を封入してなる可視磁気カードを、特開昭６１−２７３７８６号公報により提案している。
【０００３】
最近、カードにデータの記録及び演算処理をし、情報を記憶させる等のＩＣチップ等を埋め込んだ、いわゆるＩＣカード又は非接触ＩＣカードと呼ばれているものが注目を集めており、こうしたＩＣカードにおいても、前記したような磁性粒子を磁気作用により配列させて情報を可視画像として表示可能な磁気表示部を設けたものが、例えば特開平７−１７２０８４号等の公報により提案されている。
【０００４】
また、磁気表示部を有したカードの多方面への利用が考えられており、磁気層として、磁気カードに見られるような情報を磁気として記録、蓄積するための磁気記録層を備えず、磁気表示部における磁性粒子を磁気作用により配列させるための磁気表示データ層のみを有したカードの要求もある。
【０００５】
【特許文献１】特開昭６１−２７３７８６号公報
【特許文献２】特開平７−１７２０８４号公報
【発明の開示】
【発明が解決しようとする課題】
【０００６】
ところで、非接触ＩＣカードと呼ばれているカード等においては、ＩＣチップやアンテナをカードの内部に内在させるために、カード本体はベースシート、中間シート及び表面シートで構成されており、ベースシートは軟質性で撓み可能な材質で形成されている。
【０００７】
非接触ＩＣカード等においては、磁気カードのようにデータの記録や情報を記憶させるための磁気記録層を設ける必要がなく、磁気表示部における磁性粒子を磁気作用により配列させるための磁気表示データ層を設けるだけで良く、実際のカードの製造にあたっては、一枚一枚のカード（例えば約８５．６ｍｍ×５４．０ｍｍの大きさ）のベースシートの一方の面上に、一枚一枚に磁気表示データ層を塗工して作製するのではなく、約３００ｍｍ×５００ｍｍの大きさのベースシートの基材の一方の面の全面に一度に塗工した後に、カードの一般的な前記大きさに切断して作製している。ベースシートの基材の磁気表示部に対向した部分のみに塗工することが考えられるが、その位置だしのためやそのように塗工するための装置が煩雑になり、強いては製造コストが高くなるなどの不利がある。
【０００８】
しかし、一般的な製造工程であるベースシートの基材の一方の面の全面に磁気表示データ層を塗工すると、基材は軟質性で撓み可能な材質であるために基材が反ってしまい、次の製造工程に悪影響を与えるという問題があることが判った。
【０００９】
本発明はこうした現実問題に鑑みてなされたもので、磁気表示部を有し、磁気層として、磁気表示部における磁性粒子を磁気作用により配列させるための磁気表示データ層のみを有したカードにおいて、製造工程で発生する前記問題を解消して、従来のカードの製造工程と比較しても製造工程に掛かるコストが上がることがなく、軟質性で撓み可能なカードのベースシートの基材に磁気表示データ層を設けても基材が反らないようにし、かつ磁気表示部における磁性粒子が磁気表示データ層により鮮明で確かな表示となるように配列する、磁気表示部を有したカードを得ることを目的とするものである。
【課題を解決するための手段】
【００１０】
本発明は、
「１．磁気表示部を有したカードであって、厚さが２５〜１００μｍの軟質性のベースシートの一方の面の全面に、磁気表示部の磁性粒子を磁気作用により配列させるための磁気表示データ層を厚さが５〜２５μｍの範囲内で設け、該磁気表示データ層側に貫通孔を有した中間シートを配し、前記貫通孔に移動可能に少なくとも磁性粒子を挿入し、中間シート上に少なくとも前記貫通孔に対向した部分を透明とした表示部を設けた表面シートを配して、前記ベースシートと中間シートと表面シートを一体に固着し、前記磁性粒子を貫通孔に封入した磁気表示部を形成し、磁気層として磁気表示データ層のみを有したことを特徴とする、磁気表示部を有したカード。
２．前記磁気表示データ層上に、保護層を設けてなる、１項に記載の磁気表示部を有したカード。
３．前記カードが、情報を記憶するためのＩＣチップを有したＩＣカード又は非接触ＩＣカードである、１項又は２項に記載の磁気表示部を有したカード。」
である。
【００１１】
本発明において、磁気表示部における磁性粒子を磁気作用により配列させるための磁気表示データ層は、磁性粒子を鮮明で確かな表示となるように配列させるために、磁気表示部を有する面側に設ける。
【００１２】
ベースシートの厚さは、２５〜１００μｍの範囲が良い。その理由は、ベースシートの厚さが２５μｍ未満であるとカードの製造工程において、ベースシートとしての撓み等に対する強度が不足し、容易に折れ曲がったりしてしまうのを防止するためであり、ベースシートの面上に磁気表示データ層を設けた際に容易に反り返ってしまわないようにするためである。ベースシート厚が１００μｍを越えると、磁気表示データ層を磁気表示部側のベースシートの面上に設けるために、他の装置のリーダライタを用いて磁気表示データ層へ情報を記載する際はカードを介して行われるので、磁気表示データ層との距離が離れれば離れるほど磁気力が低下し、磁気表示データ層が得る情報の感度が低下し、磁性粒子を確実に配列させることができなくなってしまうからである。
【００１３】
また、磁気表示データ層の厚さは、５〜２５μｍの範囲が良い。その理由は、５μｍ未満では磁気表示データ層としての磁性感度が低下し、磁性粒子を確実に配列させることができなくなってしまう。また、２５μｍの限定理由は、２５μｍを越えて設けても、厚さが厚いからと言って磁性感度が極めて良好となるものでもなく意味がない。かえってコスト的に高くなるだけで好ましくないからである。
【００１４】
本発明の磁気表示部を有したカードにおいては、磁気表示データ層を設けたベースシートの一方の面と反対側の面に、印刷易接着層、表面活性層、鏡面光沢層、反り防止層の各層を一層又は二層以上順次重ねて設けても良い。
【発明の効果】
【００１５】
本発明は前述したような構造なので、磁気層として磁気表示データ層のみを有したカードにおいて、ベースシートの基材に磁気表示データ層を塗工する製造工程の際に、ベースシートの基材が反ることなく塗工できるので歩留まりも向上し、後工程に対しても悪影響をもたらさない。また、磁気表示データ層を磁気表示部側のベースシートの面に設けたので、磁気表示部の磁性粒子による表示も確かに鮮明に表示でき、また磁気表示データ層を構成する磁性粒子を配列させるための磁性材において、ベースシートの前記面と反対側の面に設けたものより磁気力が弱いもので良く、強いては製造コスト面で有利であるという利点がある。
【発明を実施するための最良の形態】
【００１６】
ベースシートを、厚さが２５〜１００μｍの範囲の軟質性で撓み可能な材質で形成する。磁性粒子を封入した磁気表示部は、従来と同様にして設ける。前記磁性粒子を配列させるための磁気表示データ層は、従来と同様の材質で良いが、ベースシートの磁気表示部を設けた面の全面上に、厚さが５〜２５μｍの範囲となるように設ける。磁気表示データ層を保護するために、磁気表示データ層上に保護層を設けても良く、好ましい。
【００１７】
ベースシートの軟質性で撓み可能な材質とは、紙、合成紙、熱可塑性樹脂からなるフイルムやシート等が挙げられる。
【００１８】
磁性粒子を配列させて表示を行う方法としては、一般的な方法として、中間シートの貫通孔に封入した磁性粒子を磁気表示データ層による磁気作用により磁気潜像に流下・吸引して表示を行う方法が有る。この場合、磁性粒子と共に微粉末の流動化剤と封入すると、磁性粒子の流動性が良くなり好ましい。磁性粒子としては、磁界中で強い磁性を示す高透磁率のものがよく、鉄、ニッケル、ステンレススチール、パーマロイ等の金属ないし合金系磁性材料や、四三酸化鉄、ガンマ酸化鉄、マンガン亜鉛フェライト等の酸化物系ないしフェライト系磁性材料が使用できる。微粉末流動化剤としては、無水ケイ酸、ケイ酸塩、シリコンレジン、酸化アルミニウム、酸化マグネシウム、炭酸カルシウム、塩基性炭酸マグネシウム、酸化チタンの無機微粉末や、酸化錫、酸化亜鉛、ヨウ化第１銅の導電性無機微粉末を含み、磁性粒子表面、及び表示セル器壁に均一に付着して磁性粒子同士、及び磁性粒子と表示セル器壁間の付着力、及び摩擦係数を減少させる性能を有するものである。尚、微粉末流動化剤は疎水処理の如き表面処理を施したものでもよい。粒子径は０．０１〜１ミクロンのものが好ましい。
【００１９】
他の方法として、従来知られているような、磁極を異なる色に着色して色分けした磁性粒子を、貫通孔を多数に分けた小室に封入して、磁気表示データ層の磁気作用により反転させて表示を行う方法がある。またさらに、フレーク状の磁性粒子を配向させ表示を行う方法がある。フレーク状の磁性粒子としては、鉄、ニッケル、ステンレス鋼等の磁性材質で板状のものが使用できる。本実施の形態は、フレーク状の磁性粒子の向きを変化させ、磁気表示部内に入射した光を反射させた部分と、透過させた部分のコントラストの差を生じさせることにより記録の表示および消去をさせるものである。
【実施例】
【００２０】
実施例１
以下、本発明の実施例を図面を用いて説明する。磁気表示部を有した撓み可能なカードとして非接触ＩＣカードとして説明するが、これに限定されるものではない。
【００２１】
本実施例の非接触ＩＣカード１は、ベースシート２、表面シート３及び中間シート４で構成される。
【００２２】
ベースシート２は、撓み可能とするために５０μｍ厚の白色のＰＥＴ樹脂で形成してある。非接触ＩＣカード１の製造にあたっては、図３に示すように、ベースシートの基材５である約３００ｍｍ×５００ｍｍの大きさの前記ＰＥＴ樹脂の一方の表面の全面に、１０μｍのガンマ酸化鉄系の磁気表示データ層６を塗工し、更に該磁気表示データ層６上にポリエステル系のアルミフレークを含有するものからなる銀色の保護層７を２μｍの厚さとなるように塗工した。この時、基材５はカールすることは無かった。この基材５を切断して、約８５．６ｍｍ×５４．０ｍｍの大きさのベースシート２とした。
【００２３】
次に、白色のＰＥＴ樹脂からなる中間シート３は、２枚のシート部材８、９で構成され、中間シート３の一方の短辺側３ａの近傍に、短辺３ａに沿って延びた貫通孔１０を設けてある。図４に示すように、シート部材８とシート部材９の間の貫通孔１０より他方の短辺３ｂ側に寄った区域（図１を参照）に、プラスチックフイルム１１上にＩＣチップ１２やアンテナ１３からなる非接触ＩＣモジュール１４を固着したものを位置させ、シート部材８、９に設けたホットメルト接着剤層１５によりシート部材８とシート部材９を固着して、非接触ＩＣモジュール１４を内在させてある。
【００２４】
この中間シート３をベースシート２上に重ね、接着剤（図示せず）により一体に固着し、中間シート３の貫通孔１０に、四三酸化鉄からなる磁性粒子１６と酸化珪素の無機微粉末からなる微粉末流動化剤１７の二成分を混合して挿入する。
【００２５】
次に、中間シート３上に、貫通孔１０に少なくとも透明として形成した表示窓１８が対向するようにして白色のＰＥＴ樹脂で形成した表面シート４を重ね接着剤により一体に固着して、前記磁性粒子１６と微粉末流動化剤１７を封入し、磁気表示部１９を有した非接触ＩＣカード１を得た。
【００２６】
実施例及び比較例
以下、ベースシートの厚み及び磁気表示データ層の厚みを表１に示すように変化させ、前記実施例と同様にして磁気表示部を有した非接触ＩＣカードを作製した。それぞれのカードにおいて、ベースシートの基材に磁気表示データ層と保護層を塗工した時に、基材がカールしたかどうかを目視で確認し、また、非接触ＩＣカードを作製した後に、実際に磁気表示リーダ（図示せず）を用いて磁気表示データ層に情報を書き込み、磁気表示部における磁性粒子が配列して表示が鮮明に線が途切れることなく表示できたかを目視確認した。結果は、表１に示すとおりであり、両方の評価結果が良いものを実施例とし、どちらかでも悪いものは比較例とした。比較例１〜４においては、ベースシート厚が１５μｍと薄く、磁性表示データ層を設けるとベースシートが反ってしまうが、比較例１は、磁性表示データ層厚も３μｍと薄く、ベースシートの反りはなかったものの磁性表示部における表示状態が悪かった。比較例５、６は、ベースシートが厚く反ることはないが、磁性表示部における表示状態が悪かった。
【００２７】
評価の判断方法は、次のとおりである。
１）カードの反りの判断方法：    
全く基材が反らなかったもの・・・・・・・・・・○
基材が反ってしまったもの・・・・・・・・・・・×
２）磁気表示部における表示の鮮明さについての判断方法
線が途切れることなく鮮明に表示されたもの・・・・・○
線が途切れたり不鮮明であったもの・・・・・・・・・×
【００２８】
【表１】
2005100150.tif 000003
【産業上の利用可能性】
【００２９】
一般的なＩＣカードや非接触ＩＣカードに適用でき、磁気情報を可視画像として表示できる磁気表示部を備えているので、例えば、ホテルの客室ドアーのカードキーに適用でき、ホテルの利用客にカードキーを渡す際に部屋番号を鉛筆やボールペン等で書き込んだ紙袋にカードキーを入れて手渡す必要がない。また、交通手段等における料金支払いカード等として適用でき、支払った運賃料金を表示可能となる。また、カードとして可撓性を有しているので、常時携帯する必要があるようなカードに適用できる。
【図面の簡単な説明】
【００３０】
【図１】本実施例の非接触ＩＣカードの全体を示した正面図である。
【図２】本実施例の非接触ＩＣカードの分解斜視図である。
【図３】カードの基材に、磁気表示データ層及び保護層を塗工した状態を示す斜視図である。
【図４】ＩＣモジュールを、中間シートに挿着状態を説明するための概略を示した拡大断面図である。
【図５】本実施例の非接触ＩＣカードにおける、磁気表示部分の要部の拡大縦断面図である。
【符号の説明】
【００３１】
１    非接触ＩＣカード
２    ベースシート
３    表面シート
４    中間シート
６    磁気表示データ層
７    保護層
１０    貫通孔
１６    磁性粒子
１９    磁気表示部
【図１】
2005100150.tif 000004
【図２】
2005100150.tif 000005
【図３】
2005100150.tif 000006
【図４】
2005100150.tif 000007
【図５】
2005100150.tif 000008